(57)【要約】【課題】省電力状態へ移行して予め定めた通信規格における非認証状態になった場合に、再認証を行わない場合と比較して、省電力状態から通常電力状態へ復帰できなくなるのを防止することができる省電力制御装置、省電力制御プログラム、及び画像形成装置を提供する。【解決手段】省電力制御装置３４は、通信回線を介して使用者の認証処理を行うサーバー装置１４と通信する通信部５０と、省電力制御の対象であるメインコントローラ１８が通常電力状態から省電力状態へ切り替わる場合に、前記通信回線における通信状態が、予め定めた通信規格としてのＩＥＥＥ８０２．１Ｘにより定められた非認証状態の場合には、認証状態にするために必要な情報がサーバー装置１４に送信されるように通信部５０を制御するように、メインコントローラ１８に通知する制御部４０と、を備える。【選択図】図３
2011082922.tif 000002
【特許請求の範囲】
【請求項１】
通信回線を介して使用者の認証処理を行う認証装置と通信する通信手段と、
省電力制御の対象である省電力制御対象部が通常電力状態から省電力状態へ切り替わる場合に、前記通信回線における通信状態が、予め定めた通信規格により定められた非認証状態の場合には、認証状態にするために必要な情報が前記認証装置に送信されるように前記通信手段を制御するように、前記省電力対象制御部に含まれる制御手段に通知する通知手段と、
を備えた省電力制御装置。
【請求項２】
前記通知手段は、前記省電力対象制御部が前記省電力状態で前記非認証状態になった場合に、前記省電力対象制御部が前記通常電力状態となるように前記制御手段へ電力を供給する電力供給手段を制御すると共に、前記認証状態にするために必要な情報が前記認証装置に送信されるように前記通信手段を制御するように、前記制御手段に通知し、認証が成功した場合に、前記省電力対象制御部への電力供給が遮断されるように前記電力供給手段を制御する
請求項１記載の省電力制御装置。
【請求項３】
前記通知手段は、前記通信回線における通信速度が切り替えられたことを検出した場合に、前記認証状態にするために必要な情報が前記認証装置に送信されるように前記通信手段を制御するように、前記制御手段に通知する
請求項１又は請求項２記載の省電力制御装置。
【請求項４】
前記通知手段は、前記認証装置から認証開始を要求する認証開始要求情報を受信した場合に、前記認証状態にするために必要な情報が前記認証装置に送信されるように前記通信手段を制御するように、前記制御手段に通知する
請求項１又は請求項２記載の省電力制御装置。
【請求項５】
コンピュータを、前記請求項１〜請求項４の何れか１項に記載の省電力制御装置を構成する各手段として機能させるための省電力制御プログラム。
【請求項６】
前記請求項１〜請求項４の何れか１項に記載の省電力制御装置と、
前記省電力制御装置から、前記認証状態にするために必要な情報が前記認証装置に送信されるように前記通信手段を制御するように通知された場合に、前記認証状態にするために必要な情報が前記認証装置に送信されるように前記通信手段を制御する前記制御手段と、
前記省電力対象制御部に含まれ、前記制御手段による制御により、記録媒体上に画像を形成する画像形成手段と、
を備えた画像形成装置。
【発明の詳細な説明】
【技術分野】
【０００１】
本発明は、省電力制御装置、省電力制御プログラム、及び画像形成装置に関する。
【背景技術】
【０００２】
特許文献１には、制御部へ電力を供給する電力モードから制御部へ電力を供給しない省電力モードに移行させる場合、省電力モードに移行する前に、他の通信装置と通信するための通信速度を低速にしてから制御部への電力供給を遮断する技術が開示されている。
【先行技術文献】
【特許文献】
【０００３】
【特許文献１】特開２００７−２７６３４１号公報
【発明の概要】
【発明が解決しようとする課題】
【０００４】
本発明は、省電力状態へ移行して予め定めた通信規格における非認証状態になった場合に、再認証を行わない場合と比較して、省電力状態から通常電力状態へ復帰できなくなるのを防止することができる省電力制御装置、省電力制御プログラム、及び画像形成装置を提供することを目的とする。
【課題を解決するための手段】
【０００５】
上記目的を達成するために、請求項１記載の発明の省電力制御装置は、通信回線を介して使用者の認証処理を行う認証装置と通信する通信手段と、省電力制御の対象である省電力制御対象部が通常電力状態から省電力状態へ切り替わる場合に、前記通信回線における通信状態が、予め定めた通信規格により定められた非認証状態の場合には、認証状態にするために必要な情報が前記認証装置に送信されるように前記通信手段を制御するように、前記省電力対象制御部に含まれる制御手段に通知する通知手段と、を備える。
【０００６】
請求項２記載の発明は、前記通知手段は、前記省電力対象制御部が前記省電力状態で前記非認証状態になった場合に、前記省電力対象制御部が前記通常電力状態となるように前記制御手段へ電力を供給する電力供給手段を制御すると共に、前記認証状態にするために必要な情報が前記認証装置に送信されるように前記通信手段を制御するように、前記制御手段に通知し、認証が成功した場合に、前記省電力対象制御部への電力供給が遮断されるように前記電力供給手段を制御する。
【０００７】
請求項３記載の発明は、前記通知手段は、前記通信回線における通信速度が切り替えられたことを検出した場合に、前記認証状態にするために必要な情報が前記認証装置に送信されるように前記通信手段を制御するように、前記制御手段に通知する。
【０００８】
請求項４記載の発明は、前記通知手段は、前記認証装置から認証開始を要求する認証開始要求情報を受信した場合に、前記認証状態にするために必要な情報が前記認証装置に送信されるように前記通信手段を制御するように、前記制御手段に通知する。
【０００９】
請求項５記載の発明は、コンピュータを、前記請求項１〜請求項４の何れか１項に記載の省電力制御装置を構成する各手段として機能させるための省電力制御プログラムである。
【００１０】
請求項６記載の発明の画像形成装置は、前記請求項１〜請求項４の何れか１項に記載の省電力制御装置と、前記省電力制御装置から、前記認証状態にするために必要な情報が前記認証装置に送信されるように前記通信手段を制御するように通知された場合に、前記認証状態にするために必要な情報が前記認証装置に送信されるように前記通信手段を制御する前記制御手段と、前記省電力対象制御部に含まれ、前記制御手段による制御により、記録媒体上に画像を形成する画像形成手段と、を備える。
【発明の効果】
【００１１】
請求項１記載の発明によれば、省電力状態へ移行して非認証状態になった場合に、再認証を行わない場合と比較して、省電力状態から通常電力状態へ復帰できなくなるのを防止することができる、という効果を有する。
【００１２】
請求項２記載の発明によれば、省電力状態へ移行した後に非認証状態になった場合でも、再認証を行わない場合と比較して、省電力状態から通常電力状態へ復帰できなくなるのを防止することができる、という効果を有する。
【００１３】
請求項３記載の発明によれば、認証装置から受信した情報に基づいて非認証状態になったことを検出する場合と比較して、処理負荷を軽減することができる、という効果を有する。
【００１４】
請求項４記載の発明によれば、認証装置から認証開始を要求する認証開始要求情報を受信したことを監視せずに非認証状態になったことを検出する場合と比較して、確実に非認証状態であることを検出することができる、という効果を有する。
【００１５】
請求項５記載の発明によれば、省電力状態へ移行して非認証状態になった場合に、再認証を行わない場合と比較して、省電力状態から通常電力状態へ復帰できなくなるのを防止することができる、という効果を有する。
【００１６】
請求項６記載の発明によれば、省電力状態へ移行して非認証状態になった場合に、再認証を行わない場合と比較して、省電力状態から通常電力状態へ復帰できなくなるのを防止することができる、という効果を有する。
【図面の簡単な説明】
【００１７】
【図１】画像形成システムの概略構成図である。
【図２】画像形成装置の概略ブロック図である。
【図３】省電力制御装置の概略ブロック図である。
【図４】第１実施形態に係る省電力制御装置の制御部で実行されるメインルーチンのフローチャートである。
【図５】第１実施形態に係る省電力制御装置の制御部で実行される通常モードにおける処理のフローチャートである。
【図６】第１実施形態に係る省電力制御装置の制御部で実行される省電力モードにおける処理のフローチャートである。
【図７】第１実施形態に係るメインコントローラのＣＰＵで実行される処理のフローチャートである。
【図８】第２実施形態に係る省電力制御装置の制御部で実行される通常モードにおける処理のフローチャートである。
【図９】第２実施形態に係る省電力制御装置の制御部で実行される省電力モードにおける処理のフローチャートである。
【図１０】第３実施形態に係る省電力制御装置の制御部で実行される通常モードにおける処理のフローチャートである。
【図１１】第３実施形態に係る省電力制御装置の制御部で実行される省電力モードにおける処理のフローチャートである。
【図１２】省電力制御装置をコンピュータを含んで構成した場合の概略ブロック図である。
【発明を実施するための形態】
【００１８】
（第１実施形態）
以下、本発明の第１実施形態について説明する。
【００１９】
図１には、本実施形態に係る画像形成システム１０の概略構成を例示した。同図に示すように、画像形成システム１０は、複数の画像形成装置１２及びサーバー装置１４がハブ１６を介して相互に接続された構成となっている。各装置とハブ１６とは、ＬＡＮ（Ｌｏｃａｌ  Ａｒｅａ  Ｎｅｔｗｏｒｋ）ケーブル１７により接続されている。なお、ＬＡＮケーブル１７により接続された構成ではなく、各装置に無線通信機能を備えることにより、無線ＬＡＮにより接続された構成としてもよい。
【００２０】
図２には、画像形成装置１２の概略構成を例示した。同図に示すように、画像形成装置１２は、メインコントローラ１８を含んで構成されている。
【００２１】
メインコントローラ１８は、ＣＰＵ（Ｃｅｎｔｒａｌ  Ｐｒｏｃｅｓｓｉｎｇ  Ｕｎｉｔ）１８Ａ、ＲＯＭ（Ｒｅａｄ  Ｏｎｌｙ  Ｍｅｍｏｒｙ）１８Ｂ、ＲＡＭ（Ｒａｎｄｏｍ  Ａｃｃｅｓｓ  Ｍｅｍｏｒｙ）１８Ｃ、不揮発性メモリ１８Ｄ、及び入出力インターフェース（Ｉ／Ｏ）１８Ｅがバス１８Ｆを介して各々接続された構成となっている。
【００２２】
Ｉ／Ｏ１８Ｅには、操作表示部２０、画像読取部２２、画像形成部２４、用紙供給部２６、用紙排出部２８、電話回線インターフェース（Ｉ／Ｆ）３０、ハードディスク３２、及び省電力制御装置３４の各機能部が接続されている。また、省電力制御装置３４には、電力供給部３６が接続されている。
【００２３】
また、Ｉ／Ｏ１８Ｅは、後述する省電力制御装置３４を介してサーバー装置１４等の他の装置とネットワーク通信するためのメディアアクセスコントローラ（ＭＡＣ）１９を含んでいる。
【００２４】
操作表示部２０は、例えばコピー開始等を指示するためのスタートボタンやテンキー等の各種ボタン、コピー濃度等の各種の画像形成条件を設定するための設定画面や装置の状態等の各種画面を表示するためのタッチパネル等を含んで構成される。
【００２５】
画像読取部２２は、ラインＣＣＤ等の画像読取センサや当該画像読取センサを走査するための走査機構等を含んで構成され、装置にセットされた原稿の画像を読み取る。
【００２６】
画像形成部２４は、例えば所謂電子写真方式により記録媒体上に画像を形成するものである。具体的には、画像形成部２４は、感光体ドラムを帯電するための帯電装置、帯電された感光体ドラム上を画像に応じた光で露光することにより感光体ドラム上に画像に応じた静電潜像を形成する露光装置、感光体ドラム上に形成された静電潜像をトナー現像する現像装置、感光体ドラム上に形成された画像に応じたトナー像を記録媒体に転写する転写装置、記録媒体に転写された画像に応じたトナー像を定着する定着装置等を含んで構成される。
【００２７】
なお、露光装置としては、半導体レーザや回転多面鏡、コリメータレンズやシリンドリカルレンズ、ｆθレンズ等の光学系を含んで構成された光走査装置、複数のＬＥＤから成るＬＥＤヘッド等がある。
【００２８】
用紙供給部２６は、記録用紙が収容される用紙収容部や、用紙収容部から画像形成部２４へ記録用紙を供給する供給機構等を含んで構成される。
【００２９】
用紙排出部２８は、記録用紙が排出される排出部や、画像形成部２４で画像が形成された記録用紙を排出部上に排出させるための排出機構等を含んで構成される。
【００３０】
電話回線通信Ｉ／Ｆ３０は、図示しない電話回線を介して接続された他の画像形成装置とファクシミリ通信を行うためのインターフェースである。
【００３１】
ハードディスク３２は、例えば装置の各部の状態や稼働状況等のログデータ、コピーやファクシミリ通信、プリント等の処理結果のログデータ、各種の設定データ、制御プログラム等が記憶される。
【００３２】
省電力制御装置３４は、図３に示すように、制御部４０及び記憶部４２を含むコントローラ４４と、通信部５０と、を含んで構成されている。
【００３３】
制御部４０は、詳細は後述するが、通信部５０がハブ１６を介して受信したサーバー装置１４からのパケットデータの解析処理や解析結果に応じた処理、受信したパケットデータをメインコントローラ１８へ出力する処理、受信したパケットデータに対応する応答パケットデータを通信部５０を介して送信する処理等を実行する。記憶部４２には、通信部５０が受信したパケットデータ等が記憶される。
【００３４】
通信部５０は、ハブ１６との通信により、ハブ１６とのデータ通信におけるリンク速度（通信速度）の設定処理を行うと共に、ハブ１６を介してサーバー装置１４等の他の装置とのデータ通信を行う。
【００３５】
電力供給部３６は、省電力制御装置３４の指示に応じて、装置が通常モードの場合はメインコントローラ１８の他、画像形成装置１２の各部に電力を供給し、装置が省電力モードの場合は、省電力制御装置３４にのみ電力を供給し、メインコントローラ１８等の他の機能部への電力供給を遮断する。
【００３６】
本実施形態では、画像形成装置１２が、装置全体に電力が供給されて通常動作が可能な通常モードと、一部の機能部、例えば省電力制御装置３４にのみ電力が供給され、その他の機能部への電力供給を遮断することにより省電力を図る省電力モードと、の何れかで動作する場合について説明する。
【００３７】
また、本実施形態では、画像形成システム１０の各装置は、有線ＬＡＮや無線ＬＡＮに接続された機器のユーザー認証について規定したプロトコルであるＩＥＥＥ８０２．１Ｘ規格をサポートしている。
【００３８】
このＩＥＥＥ８０２．１Ｘでは、ＬＡＮに接続された機器に対して認証サーバーがユーザー認証を行い、許可されたユーザーのみが通信を行える。本実施形態では、ハブ１６を介して、画像形成装置１２と認証サーバーとしてのサーバー装置１４とが通信する。
【００３９】
画像形成装置１２がハブ１６に接続されると、ハブ１６は、ＩＥＥＥ８０２．１Ｘの認証サーバーとしてのサーバー装置１４に対して接続を通知する。サーバー装置１４では、例えばユーザーＩＤやパスワード等のユーザー認証に必要な情報を送信するように要求するＥＡＰ（Ｅｘｔｅｎｓｉｂｌｅ  Ａｕｔｈｅｎｔｉｃａｔｉｏｎ  Ｐｒｏｔｏｃｏｌ）リクエストパケット（認証開始要求情報）を、ハブ１６を介して画像形成装置１２に送信する。これに対して、画像形成装置１２は、要求された情報を、ハブ１６を介してサーバー装置１４に送信する。そして、サーバー装置１４でユーザー認証され、認証が成功した旨が画像形成装置１２に通知されると、画像形成装置１２は、他の装置との通信が許可される。
【００４０】
次に、本実施形態の作用として、画像形成装置１２の省電力制御装置３４の制御部４０で実行される処理について、フローチャートを参照して説明する。
【００４１】
なお、本実施形態では、画像形成装置１２に電源が投入された際に、メインコントローラ１８とサーバー装置１４との通信によりＩＥＥＥ８０２．１Ｘ規格における認証処理が実行され、すでに認証成功されているものとする。
【００４２】
図４には、省電力制御装置３４の制御部４０で実行されるメインルーチンのフローチャートを示した。なお、この処理は、画像形成装置１２に電源が投入されると実行される。
【００４３】
図４に示すように、ステップ１００では、図５に示すような通常モードにおける処理が実行される。
【００４４】
図５に示すように、ステップ２００では、省電力モードへの移行がメインコントローラ１８から通知されたか否かを判断し、省電力モードへの移行が通知された場合はステップ２０２へ移行し、通知されていない場合には、省電力モードへの移行が通知されるまで待機する。
【００４５】
本実施形態では、省電力モードへ移行すべきか否かは、一例としてメインコントローラ１８により判断される。メインコントローラ１８は、例えば画像形成装置１２に対する操作や動作指示が予め定めた時間以上ない場合に、通常モードから省電力モードへ移行するべく、省電力制御装置３４以外の機能部への電力供給を停止するように省電力制御装置３４に通知する。
【００４６】
ステップ２０２では、省電力モードに移行して省電力を図るために、リンク速度（通信速度）を低下させるように通信部５０に指示する。通常モードでは、印刷データ等の大量のデータが通信されるため、処理効率を優先し、通信速度を高速（例えば１Ｇｂｐｓ）に設定するが、本実施形態では、省電力モードでは、消費電力の抑制を優先させ、リンク速度を低速（例えば１０Ｍｂｐｓ）にする。これにより、通信部５０は、通信速度を低速にするようにハブ１６に要求し、通信速度を切り替える。
【００４７】
このようにして通信速度が切り替えられると、ハブ１６の仕様にもよるが、ＩＥＥＥ８０２．１Ｘの認証も切れるのが一般的である。認証切れとなった場合、サーバー装置１４は、再度認証するために、ＥＡＰリクエストパケットを画像形成装置１２に対して送信する。
【００４８】
このため、ステップ２０４では、ハブ１６からパケットデータを受信したか否かを判断し、パケットデータを受信した場合はステップ２０６へ移行し、パケットデータを受信していない場合には、ステップ２０８へ移行する。
【００４９】
ステップ２０６では、受信したパケットがＥＡＰリクエストパケットであるか否かを判断し、ＥＡＰリクエストパケットであった場合にはステップ２１０へ移行し、ＥＡＰリクエストパケットでなかった場合には、ステップ２０８へ移行する。
【００５０】
ステップ２０８では、タイムアウトしたか否か、具体的には、ステップ２０２でリンク速度の低下を通信部５０に指示してから予め定めた時間（例えば３０秒）経過したか否かを判断し、タイムアウトした場合にはステップ２１６へ移行し、タイムアウトしていない場合には、ステップ２０４へ戻る。
【００５１】
ＥＡＰリクエストパケットを受信した場合、認証切れが発生していると考えられるので、ステップ２１０では、再認証動作をするようにメインコントローラ１８に指示する。これにより、メインコントローラ１８は、省電力制御装置３４を介してハブ１６に認証に必要な情報を送信する。
【００５２】
ステップ２１２では、メインコントローラ１８から認証完了が通知されたか否かを判断し、認証完了が通知された場合にはステップ２１４へ移行し、通知されていない場合には、受信するまで待機する。
【００５３】
ステップ２１４では、認証完了通知に基づいて、認証が成功したか否かを判断し、認証が成功した場合にはステップ２１６へ移行し、認証が失敗の場合はステップ２００へ戻る。
【００５４】
ステップ２１６では、メインコントローラ１８等、省電力制御装置３４以外の機能部への電力供給を停止するように電力供給部３６へ指示する。これにより、電力供給部３６は、省電力制御装置３４以外の機能部への電力供給を遮断する。
【００５５】
なお、認証が失敗した場合には、ステップ２００へ戻るのではなく、認証が失敗した旨を記憶部４２に記憶させて本ルーチンを終了して省電力モードに移行するようにしてもよい。
【００５６】
図４のステップ１０２では、図６に示すような省電力モードにおける処理が実行される。
【００５７】
図６に示すステップ３００では、ハブ１６を介して他の装置からパケットデータを通信部５０が受信したか否かを判断し、受信した場合にはステップ３０２へ移行し、受信していない場合には、パケットデータを受信するまで待機する。
【００５８】
省電力モードに移行する場合、前述したように、再認証を行ってから省電力モードに移行するため、基本的に認証切れは発生しないが、ＬＡＮケーブル１７を抜き差したり、何らかの原因によりハブ１６がリセットしてしまった場合には、認証切れが発生する。この場合、サーバー装置１４からＥＡＰリクエストパケットが送信され、再認証が要求される。
【００５９】
そこで、ステップ３０２では、受信したパケットがＥＡＰリクエストパケットか否かを判断し、ＥＡＰリクエストパケットであった場合にはステップ３０４へ移行し、ＥＡＰリクエストパケットでなかった場合には、ステップ３１４へ移行する。
【００６０】
ステップ３０４では、メインコントローラ１８への電力供給を再開するように電力供給部３６に指示する。これにより、電力供給部３６は、メインコントローラ１８への給電を再開する。ここでは、メインコントローラ１８のみに電力供給し、その他の機能部へは電力供給しないため、画像形成装置１２の見かけ上は省電力モードのままとなる。
【００６１】
ステップ３０６〜３１２は、図５のステップ２１０〜２１６と同様であるが、ステップ３１２でメインコントローラ１８への電力供給を遮断するように指示すると、ステップ３００へ戻って省電力モードにおける処理を続行する。
【００６２】
また、ステップ３１０で認証が失敗したと判断された場合には、本ルーチンを終了し、通常モードへ移行する。なお、認証が失敗した場合、本ルーチンを終了するのではなく、認証が失敗した旨を記憶部４２に記憶させてステップ３００へ戻るようにしてもよい。
【００６３】
一方、ステップ３１４では、省電力制御装置３４で代理応答可能なパケットであるか否かを判断する。これは、例えば代理応答可能なパケットとそうでないパケットのリストデータを記憶部４２に予め記憶しておき、これを参照することにより判断する。
【００６４】
そして、代理応答可能なパケットでない場合、例えば印刷データ等、通常モードでないと処理できないパケットの場合にはステップ３１６へ移行し、代理応答可能なパケットの場合はステップ３２０へ移行する。
【００６５】
ステップ３１６では、通常モードへ復帰する必要があるため、ステップ３０４と同様に、メインコントローラ１８の他、電力供給が遮断されていた機能部へ電力供給するように電力供給部３６へ指示する。これにより、電力供給部３６は、電力供給が遮断されていた機能部への電力供給を再開する。
【００６６】
ステップ３１８では、通信速度を通常モードにおける通信速度（例えば１ＧＨｚ）へ上昇させるように通信部５０に指示して本ルーチンを終了し、通常モードへ移行する。これにより、通信部５０は、ハブ１６との通信により、通信速度を通常モードにおける通信速度へ切り替える。
【００６７】
一方、ステップ３２０では、受信したパケットに対応する応答パケットを送信する。これは、例えば代理応答可能なパケットに対応する応答パケットデータを記憶部４２に予め記憶しておき、これを参照して、受信したパケットに対応する応答パケットを送信すればよい。
【００６８】
次に、メインコントローラ１８のＣＰＵ１８Ａで実行される処理について、図７に示すフローチャートを参照して説明する。なお、この処理は、例えば予め定めた時間毎に実行される。
【００６９】
ステップ４００では、省電力制御装置３４から再認証動作の指示があったか否かが判断され、再認証動作の指示があった場合には、ステップ４０２へ移行し、再認証動作の指示がない場合には本ルーチンを終了する。
【００７０】
ステップ４０２では、省電力制御装置３４を介してサーバー装置１４に認証情報を送信する等して認証に必要な通信を行う。
【００７１】
ステップ４０４では、サーバー装置１４から認証が成功した旨が通知されたか否かを判断する。そして、認証成功した場合にはステップ４０６へ移行し、認証が失敗した場合には、ステップ４０８へ移行する。
【００７２】
ステップ４０６では、認証が成功した旨を省電力制御装置３４に通知する。一方、ステップ４０８では、認証が失敗した旨を省電力制御装置３４に通知すると共に、認証が失敗した旨を示すメッセージを操作表示部２０に表示させる等して、ユーザーに対して認証が失敗した旨を報知する。
【００７３】
このように、本実施形態では、省電力モードへ移行する際に、通信速度を低下させて認証切れが発生した場合には、すぐに省電力モードへ移行するのではなく、サーバー装置１４からＥＡＰリクエストパケットが送信されるのを待つ。そして、ＥＡＰリクエストパケットを受信した場合には、再認証してから省電力モードへ移行する。
【００７４】
（第２実施形態）
次に、本発明の第２実施形態について説明する。なお、第１実施形態と同一部分には同一符号を付し、詳細な説明は省略する。
【００７５】
本実施形態に係る画像形成システム１０は、第１実施形態と同一であるので、説明は省略する。
【００７６】
次に、本実施形態の作用として、画像形成装置１２の省電力制御装置３４の制御部４０で実行される処理について、フローチャートを参照して説明する。
【００７７】
本実施形態では、図４のステップ１００における通常モードの処理では、図８に示すような処理が実行される。なお、図５に示す処理と同一の処理を行うステップについては、同一符号を付し、説明は省略する。
【００７８】
図８に示す処理が図５に示す処理と異なる点は、図８の処理では、図５のステップ２０２の処理が省略されている点のみである。
【００７９】
第１実施形態では、省電力モードへ移行する場合に、通信における消費電力を抑えるために、通信速度を低下させる場合について説明したが、省電力モードへ移行する場合に必ずしも通信速度を低下させなくてもよいため、本実施形態においては、通信速度を低下させる処理を省略している。この場合、通信速度の切り替えにより認証切れが発生することはないが、前述したように、ＬＡＮケーブル１７の抜き差しやハブ１６が何らかの理由によりリセットされた場合には認証切れが発生し、サーバー装置１４からＥＡＰリクエストパケットが送信されるため、図５と同様の処理を行う。
【００８０】
また、本実施形態では、図４のステップ１０２における省電力モードの処理では、図９に示すような処理が実行される。なお、図６に示す処理と同一の処理を行うステップについては、同一符号を付し、説明は省略する。
【００８１】
図９に示す処理が図６に示す処理と異なる点は、図９の処理では、図６のステップ３１８の処理が省略されている点のみである。
【００８２】
前述したように、省電力モード中でも、ＬＡＮケーブル１７の抜き差しやハブ１６が何らかの理由によりリセットされた場合には認証切れが発生し、サーバー装置１４からＥＡＰリクエストパケットが送信されるため、図６と同様の処理を行う。
【００８３】
（第３実施形態）
次に、本発明の第３実施形態について説明する。なお、第１実施形態と同一部分には同一符号を付し、詳細な説明は省略する。
【００８４】
本実施形態に係る画像形成システム１０は、第１実施形態と同一であるので、説明は省略する。
【００８５】
第１、第２実施形態では、ＥＡＰリクエストパケットをサーバー装置１４から受信した場合に認証切れが発生したものとして再認証動作する場合について説明したが、本実施形態では、パケットを監視することなく、リンク速度の切り替えを検出した場合に認証切れが発生したものとして再認証動作する場合について説明する。
【００８６】
次に、本実施形態の作用として、画像形成装置１２の省電力制御装置３４の制御部４０で実行される処理について、フローチャートを参照して説明する。
【００８７】
本実施形態では、図４のステップ１００における通常モードの処理では、図１０に示すような処理が実行される。なお、図５に示す処理と同一の処理を行うステップについては、同一符号を付し、説明は省略する。また、図５に示す処理と異なる処理を行うステップについては、符号の末尾に‘Ａ’を付す。
【００８８】
図１０に示す処理が図５に示す処理と異なる点は、ステップ２０４Ａの処理である。
【００８９】
ステップ２０４Ａでは、通信部５０によりハブ１６との通信のリンク速度が切り替えられたか否かを判断し、リンク速度が切り替えられた場合には、ステップ２１０へ移行する。一方、リンク速度が切り替えられていない場合には、ステップ２１６へ移行して、メインコントローラ１８等への電力供給の停止を電力供給部３６に指示する。
【００９０】
このように、リンク速度が切り替えられた場合には、認証切れが発生したものとみなしてステップ２１０以降で再認証に必要な処理を実行する。
【００９１】
また、本実施形態では、図４のステップ１０２における省電力モードの処理では、図１１に示すような処理が実行される。なお、図６に示す処理と同一の処理を行うステップについては、同一符号を付し、説明は省略する。また、図６に示す処理と異なる処理を行うステップについては、符号の末尾に‘Ａ’を付す。
【００９２】
図１１に示す処理が図６に示す処理と異なる点は、ステップ３００Ａ、３０２Ａの処理である。
【００９３】
ステップ３００Ａでは、通信部５０によりハブ１６との通信のリンク速度が切り替えられたか否かを判断し、リンク速度が切り替えられた場合には、ステップ３０４へ移行する。一方、通信速度が切り替えられていない場合には、ステップ３０２Ａへ移行して、パケットを受信したか否かを判断し、パケットを受信した場合にはステップ３１４へ移行し、パケットを受信していない場合には、ステップ３００Ａへ戻る。
【００９４】
このように、リンク速度が切り替えられた場合には、認証切れが発生したものとみなしてステップ３０４以降の処理により再認証に必要な処理を実行する。
【００９５】
なお、上記各実施形態において、省電力制御装置３４のコントローラ４４は、図１２に示すようなコンピュータ８０として構成してもよい。図１２に示すコンピュータ８０は、ＣＰＵ（Ｃｅｎｔｒａｌ  Ｐｒｏｃｅｓｓｉｎｇ  Ｕｎｉｔ）８０Ａ、ＲＯＭ（Ｒｅａｄ  Ｏｎｌｙ  Ｍｅｍｏｒｙ）８０Ｂ、ＲＡＭ（Ｒａｎｄｏｍ  Ａｃｃｅｓｓ  Ｍｅｍｏｒｙ）８０Ｃ、不揮発性メモリ８０Ｄ、及び入出力インターフェース（Ｉ／Ｏ）８０Ｅがバス８０Ｆを介して各々接続された構成であり、Ｉ／Ｏ８０Ｅには通信部５０が接続されている。この場合、図５、６、８〜１１に示した処理をコンピュータ８０に実行させるプログラムを、例えば不揮発性メモリ８０Ｄに書き込んでおき、これをＣＰＵ８０Ａが読み込んで実行させる。これにより、コンピュータ８０が省電力制御装置３４のメインコントローラ１８として機能する。なお、プログラムは、ＣＤ−ＲＯＭ等の記録媒体により提供するようにしてもよい。
【００９６】
また、本実施形態で説明した画像形成装置１２及び省電力制御装置３４の構成（図２、３参照）は一例であり、本発明の主旨を逸脱しない範囲内において不要な部分を削除したり、新たな部分を追加したりしてもよいことは言うまでもない。
【００９７】
また、本記実施形態で説明した制御プログラムの処理の流れ（図５〜図１１参照）も一例であり、本発明の主旨を逸脱しない範囲内において不要なステップを削除したり、新たなステップを追加したり、処理順序を入れ替えたりしてもよいことは言うまでもない。
【符号の説明】
【００９８】
１０  画像形成システム
１２  画像形成装置
１４  サーバー装置
１６  ハブ
１７  ＬＡＮケーブル
１８  メインコントローラ（制御手段の一例）
２０  操作表示部
２２  画像読取部
２４  画像形成部（画像形成手段の一例）
２６  用紙供給部
２８  用紙排出部
３０  電話回線通信Ｉ／Ｆ
３２  ハードディスク
３４  省電力制御装置
３６  電力供給部（電力供給手段の一例）
３２  ハードディスク
３４  省電力制御装置
４０  制御部（通知手段の一例）
４２  記憶部
４４  コントローラ
５０  通信部（通信手段の一例）
【図１】
2011082922.tif 000003
【図２】
2011082922.tif 000004
【図３】
2011082922.tif 000005
【図４】
2011082922.tif 000006
【図５】
2011082922.tif 000007
【図６】
2011082922.tif 000008
【図７】
2011082922.tif 000009
【図８】
2011082922.tif 000010
【図９】
2011082922.tif 000011
【図１０】
2011082922.tif 000012
【図１１】
2011082922.tif 000013
【図１２】
2011082922.tif 000014